(57)【要約】【課題】空気調和機の室内外機の接続用に搭載される三方弁は、三方弁本体を配管とロウ付けにより接続した後にフラックス除去のための酸処理により三方弁の内面加工精度が悪くなり、弁棒に取りつけられた複数のＯリングとに僅かな隙間が発生し冷媒漏を発生させる課題を有していた。【解決手段】三方弁内の弁棒のネジ部及び、前記弁棒を挿入する弁棒受入部のネジ部の両方にＮｉメッキを施し、ネジ部の勘合精度を上げ冷媒漏れを防ぐものである。【選択図】図１
2006234027.tif 000002
【特許請求の範囲】
【請求項１】
Ｏリングを装着した弁棒を受入れた弁棒受入部と、内外接続配管部と、バルブコアを装着したサービスポート部とロウ付配管部を有する三方弁であって、前記弁棒のネジ部及び弁棒受入部のネジ部をＮｉメッキ処理させたことを特徴とする空気調和機の三方弁。
【発明の詳細な説明】
【技術分野】
【０００１】
本発明は、主に冷凍機・空気調和機の冷媒配管系に介装する三方弁に関するものであって、特に弁体の通路を弁棒による開閉操作位置によるシール構造の改善に係るものである。
【背景技術】
【０００２】
従来、空気調和機の冷媒回路は、室内機と室外機を冷媒配管により接続した冷媒回路を成形している。
【０００３】
そしてかかる空気調和機の冷媒回路は設置時には、配管接続後に室内側をエアーパージ及び冷媒封入するためサービスポートを有する三方弁を備えている。
【０００４】
三方弁の弁キャップを外し弁棒を開閉することにより、室内外間に於ける冷媒を連通するか閉止するかの操作を行うものである。
【０００５】
弁キャップを外した時弁棒からの冷媒漏れを防止するため複数のＯリングを備えて冷媒漏れを防止する発明がある（例えば、特許文献１参照）。
【特許文献１】特開平８−２９７０６７号公報
【発明の開示】
【発明が解決しようとする課題】
【０００６】
しかしながら、上記従来の構成では、弁棒部にＯリング複数取りつけために三方弁本体寸法が大きくなり室外機の配管カバーサイズを大きくなるという課題を有していた。
【０００７】
また三方弁は真鍮材で出来ており室外機内の冷凍サイクル部品と接続銅配管とは、ロウ付けする際フラックス剤を使用して行う為、ロウ付け後酸処理を行う必要があり、酸処理により三方弁内面加工精度が悪くなり、弁棒に取りつけられた複数のＯリングとに僅かな隙間が発生し冷媒漏れを発生させる課題を有していた。
【０００８】
本発明はこのような従来の課題を解決するものでありＯリングを装着した弁棒を受入れた弁棒受入部と、内外接続配管部と、バルブコアを装着したサービスポート部とロウ付配管部を有する三方弁であって、前記弁棒のネジ部及び弁棒受入部のネジ部をＮｉメッキ処理させたことにより、ネジ部の勘合精度の高い気密性を有した三方弁を提供する事を目的とする。
【課題を解決するための手段】
【０００９】
上記課題を解決するために本発明の空気調和機の三方弁は、Ｏリングを装着した弁棒を受入れた弁棒受入部と、内外接続配管部と、バルブコアを装着したサービスポート部とロウ付配管部を有する三方弁であって、前記弁棒のネジ部をネジ加工後Ｎｉメッキ処理し、また弁棒受入部のネジ部をネジ加工後にＮｉメッキ処理させたことにより、ネジ部の勘合精度を上げるものである。
【００１０】
上記方法によって、ロウ付け部に配管ロウ付けフラックス除去のための酸処理による三方弁本体筒部の面粗さが悪くなっても、弁棒のネジ部と受入部をのネジ部の勘合精度が向上されことにより、弁棒と弁棒受入部の隙間からの冷媒漏れを防止することが出来る。
【発明の効果】
【００１１】
本発明は、ロウ付け部に配管ロウ付けフラックス除去のための酸処理による三方弁本体筒部の面粗さが悪くなっても、弁棒及び弁棒受入部のネジ部加工後にＮｉメッキ処理をおこなうため、ネジ部の勘合状態が良好な状態のまま組立を行う事により、弁棒と弁棒受入部の隙間からの冷媒漏れを防止することが出来る。
【発明を実施するための最良の形態】
【００１２】
第１の発明は、Ｏリングを装着した弁棒を受入れた弁棒受入部と、内外接続配管部と、バルブコアを装着したサービスポート部とロウ付配管部を有する三方弁であって、前記弁棒のネジ部及び弁棒受入部のネジ部をＮｉメッキ処理させたものである。
【００１３】
この構成をなすことにより、Ｎｉのはたらきで、シール性が向上し、冷媒漏れを防止することができる。
【００１４】
以下本発明の実施の形態について図面を参照して説明する。なお、この実施の形態によって本発明が限定されるものではない。
【００１５】
（実施の形態１）
図２は冷媒回路図である。同図において、室外機１の圧縮機２より吐出した冷媒が四方弁３より室外機熱交換器４に流れ凝縮され、膨張弁５を流れてガス側三方弁６より接続配管７にて室内熱交換器８に流れ室内熱交換器８で蒸発した冷媒が接続配管９を経て液側三方弁１０から前記四方弁３より圧縮機２に戻るサイクルである。
【００１６】
また、図１は本発明の第１の実施の形態の三方弁の断面図である。（ａ）は、組み立てた状態の三方弁の断面図、（ｂ）は弁棒キャップおよび弁棒の構成図、（ｃ）は弁棒キャップおよび弁棒を除いた三方弁の断面図である。
【００１７】
同図において三方弁１０の構成と動作について説明する。
【００１８】
本体１１には、その四方に室内配管側ポート１２と室外配管側ポート１３と、サービスポート１４、弁棒１５が弁棒受入部１６に装着されている。
【００１９】
室内配管側ポート１２には、室内熱交換器８に接続された接続配管９がフレアナット１８を介して接続され、室外配管側ポート１３には、銅管１８がフラックス剤を介してロウ付け接続されて同様室外熱交換器４側の配管に接続されるようになっている。
【００２０】
サービスポート１４にはバルブコア１９が挿入されておりサービスポートキャップ１９が取りつけられている。
【００２１】
通常は密封されているが、空気調和機の設置時には、このサービスポート１４から真空引きを行う。
【００２２】
弁棒１５には、ネジ部１５a、六角レンチ用挿入穴１５ｂ、Oリング２１を介装する溝部１５ｃを一体に備える。
【００２３】
弁棒１５のネジ部１５ａは、弁棒受入部１６のネジ部１６ａと螺合しており、六角レンチ用挿入穴１５ｂに六角レンチを用いて回転操作をすることにより弁棒１５を進退させる。
【００２４】
弁棒１５は真鍮材からなり、ネジ部１５ａを備える。前記ネジ部１５ａにはＮｉメッキ約６ミクロンの薄膜処理が施されている。
【００２５】
一方、弁棒受入部１６は真鍮材からなり、ネジ部１６ａを備える。前記ネジ部１６ａにもＮｉメッキ約６ミクロンの薄膜処理が施されている。
【００２６】
この１５ａと１６ａの組合せにより銅管１９がフラックス剤を介してロウ付け接続され、後酸洗いによる寸法変化の影響を受けず、弁棒１５と弁棒受入部１６の設計通りの寸法にでき冷媒漏れを防止できる。
【産業上の利用可能性】
【００２７】
以上のように本発明に係る空気調和機の三方弁は、Ｎｉメッキによりネジ部の漏れを防止することができるので、三方弁のみならず、二方弁や逆支弁等の弁にも適用できる。
【図面の簡単な説明】
【００２８】
【図１】（ａ）は組み立てた状態の本発明の第１実施形態の三方弁の断面図（ｂ）は弁棒キャップおよび弁棒の構成図（ｃ）は弁棒キャップおよび弁棒を除いた三方弁の断面図
【図２】冷媒回路図
【符号の説明】
【００２９】
１  室外機
２  圧縮機
３  四方弁
４  室外機熱交換器
５  膨張弁
６  三方弁（ガス側）
７  接続配管
８  室内機熱交換器
９  接続配管
１０  三方弁
１１  本体
１２  室内配管側ポート
１３  室外配管側ポート
１４  サービスポート
１５  弁棒
１５ａ  ネジ部
１５ｂ  六角レンチ挿入穴
１５ｃ  溝部
１６  弁棒受入部
１６ａ  ネジ部
１６ｂ  カシメ筒部
１７  フレアナット
１８  銅管
１９  バルブコア
２０  サービスポートキャップ
２１  Ｏリング
２２  弁棒キャップ
【図１】
2006234027.tif 000003
【図２】
2006234027.tif 000004